(57)【要約】【課題】  本発明は、ハンドルによって回転自在としたロッドに拡径機能を備えることで各種ドラムの係着が行える長尺物巻取装置を提供することを目的とするものである。【解決手段】  本発明は、略直角状に折曲形成されるスタンド式のロッド支持本体２と、このロッド支持本体２にハンドル３によって回転自在な状態で嵌挿されるロッド４と、ロッド４に装着される拡径調整部５から構成され、この拡径調整部５の圧接部１４を蝶ネジ１６を締め付ける、又は緩めることによって圧接部１４の拡径および縮径を行ってドラムの着脱を容易に行う構成とする。【選択図】        図１
2005298154.tif 000002
【特許請求の範囲】
【請求項１】
スタンド式のロッド支持本体にハンドルにより回転自在とされるロッドが嵌挿される巻取装置において、
前記ロッドの基部に装着されるドラム支持板と、
前記ロッドに嵌挿されるバネの弾性力により常時は縮径状態とされる複数の圧接部と、
該ロッド先端に螺着され、該圧接部をバネの付勢力に抗しながら拡径するネジ部とからなる拡径調整部を備える
ことを特徴とする長尺物巻取装置。
【請求項２】
前記ロッド長さに応じて複数の拡径調整部を設ける
ことを特徴とする請求項１記載の長尺物巻取装置。
【発明の詳細な説明】
【技術分野】
【０００１】
本発明は、長尺物巻取装置に関する。詳しくは農業用散水チューブ、ロープ、送水ホース、電器コードなどの長尺物をドラムに巻き取るための長尺物巻取装置に係るものである。
【背景技術】
【０００２】
従来より、図９に示すように、例えば農業用散水チューブ１０１は円筒体１０２の両側端にフランジ１０３が装着されるドラム１０４によって巻き取られており、現場においてスタンド式のリール１０５のロッド１０６にドラム１０４の円筒体１０２を差し込んでドラム１０４を回転させながら農業用散水チューブ１０１を巻回されるドラム１０４より送り出しながら取り外している。
【０００３】
そこで散水作業が終了し農業用散水チューブ１０１をドラム１０４に巻き取る場合には、ロッド１０６にドラム１０４を取り付け、円筒体１０２に農業用散水チューブ１０１をドラム１０４のフランジ１０３を手で直接に回しながら巻き取る構成とされる。
【０００４】
いっぽう、リールとドラムとを一体としたホースリールとして図１０に示す発明がある。
このホースリール１０７は、リール１０８は支持軸１０９及び送水管としての円筒管１１０を介して枠体１１１により回動自在に支持され、支持軸１０９にはリール１０８を回転させるハンドル１１２が挿入固定され、また、リール１０８のドラム部１１３には挿入孔１１４が設けられ、この挿入孔１１４からホースを挿入しその端部をドラム部１１３の内側に突出する円筒管１１５に継手１１６を介して着脱自在に接続するように構成されている（例えば、特許文献１参照。）。
【０００５】
【特許文献１】特開平６−２７１２０２号公報（要約書、第１図）
【発明の開示】
【発明が解決しようとする課題】
【０００６】
しかしながら前記リールに対してドラムを手で直接に回して巻き取るものでは、非常に煩雑な作業となることからドラムから取り外した後は巻き取らずに現場で放置する、または巻き取らずに大まかに束ねて回収しているのが現状であり、搬送時にチューブがもつれたり又は嵩張るなどの問題がある。
【０００７】
また、前記ホースリールでは、ホースがドラムに巻き取られた状態で水道蛇口に接続し、ドラムをハンドルによって回すことによりホースの送り出しや巻取りを行うものであり、ホースがドラムに取付けられた状態でホースの取り出しや巻取りを行うものである。したがって農業用散水チューブ、ロープ、送水ホース、電器コードなどの長尺物が巻き取れたドラムをリールに対して取り付けてドラムより取り外し、再びドラムに巻回してリールより取り外す構成とは異なり、ドラムのみの取替えができない問題がある。
【０００８】
本発明は、以上の点に鑑みて創案されたものであって、ハンドルによって回転自在としたロッドに拡径機能を備えることで各種ドラムの係着が行える長尺物巻取装置を提供することを目的とするものである。
【課題を解決するための手段】
【０００９】
上記の目的を達成するために、本発明に係る長尺物巻取装置は、スタンド式のロッド支持本体にハンドルにより回転自在とされるロッドが嵌挿される巻取装置において、前記ロッドの基部に装着されるドラム支持板と、前記ロッドに嵌挿されるバネの弾性力により常時は縮径状態とされる複数の圧接部と、該ロッド先端に螺着され、該圧接部をバネの付勢力に抗しながら拡径するネジ部とからなる拡径調整部を備える。
【００１０】
ここで、常時はバネの弾性力によって縮径状態とされる圧接部に対してドラムの円筒部を嵌め入れ、ネジ部の締め付けによりバネの付勢力に抗しながら圧接部を押し上げることで円筒部内面を圧接してドラムをロッドに固定する。
また、ドラムをロッドより取り外す場合にはネジ部を緩めることによりバネの弾性力によって圧接部が引き下げられ、円筒部内面に対する圧接が解除される。
【発明の効果】
【００１１】
以上の構成より成る本発明に係る長尺物巻取装置では、農業用散水チューブ、ロープ、送水ホース、電器コードなどの長尺物が巻着されたドラムの円筒体内にロッドを挿入し、ネジを締め付けることでロッドに装着される拡径部材が拡径してドラムの円筒内側を強く圧接してドラムをロッドに容易に固定することが可能となる。
【００１２】
また、ドラムを取り外す場合にはネジを緩めることで拡径部材が縮径して円筒体内との圧接が解除されて容易にドラムを取り外すことが可能となる。更に拡径部材の拡径の調整が自在に行えることで種々内径の異なるドラムに対して対応することが可能となる。
【発明を実施するための最良の形態】
【００１３】
以下、本発明の実施の形態を図面を参酌しながら説明し、本発明の理解に供する。
図１に、本発明を適用した長尺物巻取装置の一例を説明するための正面図、図２は、図１における側面図を示す。
【００１４】
ここで示す長尺物巻取装置１は、略直角状に折曲形成されるスタンド式のロッド支持本体２と、このロッド支持本体２にハンドル３によって回転自在な状態で嵌挿されるロッド４と、ロッド４に装着される拡径調整部５から構成されるものである。
【００１５】
そこで図３に示すように拡径調整部５は、ロッド４はロッド支持本体２に開設される軸受穴６内にベアリング（図示せず。）などを介して挿通され、その基端に取り付けられるハンドル３によって回転自在な機構とし、更にロッド４の基端側にはドラムの側板を受け止めるためのドラム支持板７が固着され、このドラム支持板７面にはロッド４を中心として９０度ごとにドラムの円筒径内とした位置に突起部８が設けられるものである。
【００１６】
そしてロッド４にスペーサー９およびスプリング１０が嵌挿され、更にドラム支持板７面に設けられる突起部８に対峙した位置に突起部８Ａが設けられる可動板１１が開口端に固着された可動筒体１２がロッド４に嵌挿される。
【００１７】
ここでドラム支持板７および可動板１１に設けられる突起部８、８Ａに、その基端がそれぞれ連結枢支される連結板１３の先端に圧接部１４が連結枢支されるものである。更にロッド４先端側外周面にはネジ部１５が形成され、このネジ部１５に蝶ネジ１６が螺着される。
【００１８】
従って常時はスプリング１０の付勢力によって縮径状態とされる圧接部１４は、蝶ネジ１６の締め付けによりスプリング１０の付勢力に抗しながら可動板１１がドラム支持板７方向へ移動して連結板１３が起伏することにより圧接部１４を押し上げ、ドラムの円筒内面を圧接固定することになる。
【００１９】
また、蝶ネジ１６を緩めることによりスプリング１０の付勢力によって可動板１１がドラム支持板７とは逆方向へ移動して連結板１３が傾倒することにより圧接部１４が引き下げられ、ドラムの円筒内面の圧接を解除することになる。
【００２０】
次に図４に本発明を適用した長尺物巻取装置の他の例を説明するための正面図である。ドラムの幅が通常の２倍以上の場合には、通常の２倍以上長さに変更したロッド４に対して２個の拡径調整部５は調整用スペーサー１９を介して並列状に嵌挿され、ロッド４先端に蝶ネジ１６を螺着することにより、蝶ネジ１６の締め付けによりドラム支持板７側の拡径調整部５の圧接部が押し上げられてドラムの円筒内面を圧接固定し、次に蝶ネジ１６側の拡径調整部５の圧接部１４が押し上げられてドラムの円筒内面を圧接固定する。
【００２１】
なお、拡径調整部の圧接部は必ずしも９０度ごとに４個設ける必要性は無く、例えば１８０度ごとに２個、あるいは１２０度毎に３個、更には４個以上などドラムの円筒内面を圧接固定することができるものであればいかなる個数であっても構わない。
【００２２】
また、拡径調整部の拡径機構は必ずしも前述した機構である必要性は無く、圧接部が常時はスプリングの付勢力によって縮径した状態であり、スプリングの付勢力に抗しながら適宜手段によって拡径することでドラムの円筒内面を圧接固定するものであればいかなる機構のものであっても構わない。
【００２３】
以上の構成よりなる本発明では図５に示すように、スプリング１０の付勢力によって可動板１１が図中Ａ矢印方向へ押されることにより拡径調整部５の連結板１３が水平方向へ伸びた状態となり、圧接部１４が縮径した状態となっている。従って圧接部１４の外径長さはドラム１７の円筒部１８内径長さより小径であるために、ロッド４に装着される拡径調整部５にドラム１７の円筒部１８を嵌挿することが可能となる。
【００２４】
ここで、図６に示すように蝶ネジ１６を締め付けて可動板１１を図中Ｂ矢印方向へスプリング１０の付勢力に抗しながら移動させることで連結板１３が互いに接近して圧接部１４を押し上げることになり、その結果圧接部１４が拡径することになり、ドラム１７の円筒部１８内面を圧接固定することになる。
【００２５】
このようにしてロッド４に固定されたドラム１７は、ハンドル３によって回転自在な状態となり、ドラム１７に巻着された農業用散水チューブ、ロープ、送水ホース、電器コードなどの長尺物（図示せず。）の繰り出しや巻取りが容易に行えることになる。
【００２６】
また、ドラム１７の取り外しの場合には締め付けられた蝶ネジ１６を緩めることにより圧縮されたスプリング１０の付勢力によって可動板１１が図中Ａ矢印方向へ押されて拡径調整部５の連結板１３が水平方向へ伸びた状態となり、その結果圧接部１４が縮径しドラム１７の円筒部１８内面との圧接が解除されてロッド４からの取り外しが容易に行えることになる。
【００２７】
また、図７に示すように幅の広いドラム１７に対しては２個の拡径調整部５がロッド４に並列状に嵌挿されたものを使用することでドラムの取り付けを行うものであり、この場合には縮径した状態でロッド４に対してドラム１７の円筒部１８を嵌挿する。
【００２８】
そして蝶ネジ１６を締め付けることにより、蝶ネジ側の拡径調整部５および調整用スペーサー１５が図中Ｃ矢印方向へ移動し、ドラム支持板７側の拡径調整部５の可動板１１が図中Ｃ矢印方向へスプリング１０の付勢力に抗しながら押された状態となり、その結果圧接部１４は押し上げられてドラム１７の円筒部１８内面を圧接固定することになる。
【００２９】
次に図８に示すように、ドラム支持板７側の拡径調整部５の可動板１１が停止した状態から、更に蝶ネジ１６を締め付けることにより蝶ネジ側の拡径調整部５の図中Ｃ矢印方向への移動が停止し、可動板１１がスプリング１０の付勢力に抗しながら押された状態となり、その結果圧接部１４は押し上げられてドラム１７の円筒部１８内面を圧接固定することになり、２個の拡径調整部５によってドラム１７の円筒部１８内面を圧接固定することが可能となる。
【００３０】
このようにして巻き幅の異なるドラムに対しては、ロッドを継ぎ足し、複数個の拡径調整部５を装着することにより対応することが可能となる。
【図面の簡単な説明】
【００３１】
【図１】本発明を適用した長尺物巻取装置の一例を説明するための正面図である。
【図２】図１における側面説明図である。
【図３】本発明を適用した長尺物巻取装置の拡径調整部の一例を説明するための正面図である。
【図４】本発明を適用した長尺物巻取装置の他の例を説明するための正面図である。
【図５】本発明を適用した長尺物巻取装置の一例の使用状態を示す説明図である。
【図６】本発明を適用した長尺物巻取装置の一例の作用状態を示す説明図である。
【図７】本発明を適用した長尺物巻取装置の他の例の使用状態を示す説明図である。
【図８】本発明を適用した長尺物巻取装置の他の例の作用状態を示す説明図である。
【図９】従来の長尺物巻取装置の一例を示す説明図である。
【図１０】従来のホースリールの一例を示す説明図である。
【符号の説明】
【００３２】
１      長尺物巻取装置
２      ロッド支持本体
３      ハンドル
４      ロッド
５      拡径調整部
６      軸受穴
７      ドラム支持板
８      突起部
９      スペーサー
１０    スプリング
１１    可動板
１２    可動筒体
１３    連結板
１４    圧接部
１５    ネジ部
１６    蝶ネジ
１７    ドラム
１８    円筒部
１９    調整用スペーサー
【図１】
2005298154.tif 000003
【図２】
2005298154.tif 000004
【図３】
2005298154.tif 000005
【図４】
2005298154.tif 000006
【図５】
2005298154.tif 000007
【図６】
2005298154.tif 000008
【図７】
2005298154.tif 000009
【図８】
2005298154.tif 000010
【図９】
2005298154.tif 000011
【図１０】
2005298154.tif 000012